(57)【要約】【課題】高品質の音声通信を短時間で開始する。【解決手段】本発明の移動通信方法は、サーバＰＣＲＦが、移動局ＵＥ＃１の待ち受け対象のＲＡＴ種別の変更を検出した場合に、サーバＨＳＳに対して、その旨を通知する工程と、サーバＨＳＳが、サーバＡＳに対して、セッション管理サーバＰＣＲＦによって通知された移動局ＵＥ＃１の待ち受け対象のＲＡＴ種別を通知する工程と、サーバＡＳが、サーバＨＳＳによって通知された移動局ＵＥ＃１の待ち受け対象のＲＡＴ種別を管理する工程と、サーバＡＳが、受信した移動局ＵＥ＃１宛ての音声通信用着信信号に応じて、自身が管理している移動局ＵＥ＃１のＶｏＩＰ用位置情報、移動局ＵＥ＃１のＣＳ通信用ルーチング番号及び移動局ＵＥ＃１の待ち受け対象のＲＡＴ種別に基づいて、音声通信用着信信号を配信する工程とを有する。【選択図】図５
2010258899.tif 000002
【特許請求の範囲】
【請求項１】
複数種別の無線アクセスネットワークのいずれかで待ち受けを行っている移動局に対して、音声通信用着信信号を配信する移動通信方法であって、
配信サーバと無線アクセスネットワーク装置との間の各セッションに対応する移動局及び無線アクセスネットワークの種別を管理しているセッション管理サーバが、前記移動局の待ち受け対象の無線アクセスネットワークの種別の変更を検出した場合に、各移動局の加入者情報を管理している加入者情報管理サーバに対して、その旨を通知する工程と、
前記加入者情報管理サーバが、前記配信サーバに対して、前記セッション管理サーバによって通知された前記移動局の待ち受け対象の無線アクセスネットワークの種別を通知する工程と、
前記配信サーバが、前記加入者情報管理サーバによって通知された前記移動局の待ち受け対象の無線アクセスネットワークの種別を管理する工程と、
前記配信サーバが、受信した前記移動局宛ての音声通信用着信信号に応じて、自身が管理している前記移動局のＶｏＩＰ用位置情報、該移動局のＣＳ通信用ルーチング番号及び該移動局の待ち受け対象の無線アクセスネットワークの種別に基づいて、前記音声通信用着信信号を配信する工程とを有することを特徴とする移動通信方法。
【請求項２】
複数種別の無線アクセスネットワークのいずれかで待ち受けを行っている移動局に対して、音声通信用着信信号を配信するように構成されている移動通信システムであって、
配信サーバと、
各移動局の加入者情報を管理している加入者情報管理サーバと、
前記配信サーバと無線アクセスネットワーク装置との間の各セッションに対応する移動局及び無線アクセスネットワークの種別を管理しているセッション管理サーバとを具備し、
前記セッション管理サーバは、
前記移動局の待ち受け対象の無線アクセスネットワークの種別の変更を検出した場合に、前記加入者情報管理サーバに対して、その旨を通知するように構成されている機能を具備し、
前記加入者情報管理サーバは、
前記配信サーバに対して、前記セッション管理サーバによって通知された前記移動局の待ち受け対象の無線アクセスネットワークの種別を通知するように構成されている機能を具備し、
前記配信サーバは、
前記加入者情報管理サーバによって通知された前記移動局の待ち受け対象の無線アクセスネットワークの種別を管理するように構成されている機能と、
受信した前記移動局宛ての音声通信用着信信号に応じて、自身が管理している前記移動局のＶｏＩＰ用位置情報、該移動局のＣＳ通信用ルーチング番号及び該移動局の待ち受け対象の無線アクセスネットワークの種別に基づいて、前記音声通信用着信信号を配信するように構成されている機能とを具備することを特徴とする移動通信システム。
【請求項３】
複数種別の無線アクセスネットワークのいずれかで待ち受けを行っている移動局に対して、音声通信用着信信号を配信するように構成されている移動通信システムで用いられる配信サーバであって、
各移動局の加入者情報を管理している加入者情報管理サーバによって通知された前記移動局の待ち受け対象の無線アクセスネットワークの種別を管理するように構成されている機能と、
受信した前記移動局宛ての音声通信用着信信号に応じて、自身が管理している前記移動局のＶｏＩＰ用位置情報、該移動局のＣＳ通信用ルーチング番号及び該移動局の待ち受け対象の無線アクセスネットワークの種別に基づいて、前記音声通信用着信信号を配信するように構成されている機能とを具備することを特徴とする配信サーバ。
【請求項４】
複数種別の無線アクセスネットワークのいずれかで待ち受けを行っている移動局に対して、音声通信用着信信号を配信するように構成されている移動通信システムで用いられる加入者情報管理サーバであって、
各移動局の加入者情報を管理するように構成されている機能と、
前記音声通信用着信信号を配信する配信サーバに対して、前記配信サーバと無線アクセスネットワーク装置との間の各セッションに対応する移動局及び無線アクセスネットワークの種別を管理しているセッション管理サーバによって通知された前記移動局の待ち受け対象の無線アクセスネットワークの種別を通知するように構成されている機能を具備することを特徴とする加入者情報管理サーバ。
【請求項５】
複数種別の無線アクセスネットワークのいずれかで待ち受けを行っている移動局に対して、音声通信用着信信号を配信するように構成されている移動通信システムで用いられるセッション管理サーバであって、
前記音声通信用着信信号を配信する配信サーバと無線アクセスネットワーク装置との間の各セッションに対応する移動局及び無線アクセスネットワークの種別を管理するように構成されている機能と、
前記移動局の待ち受け対象の無線アクセスネットワークの種別の変更を検出した場合に、各移動局の加入者情報を管理している加入者情報管理サーバに対して、その旨を通知するように構成されている機能とを具備することを特徴とするセッション管理サーバ。
【発明の詳細な説明】
【技術分野】
【０００１】
本発明は、移動通信方法、移動通信システム、配信サーバ、加入者情報管理サーバ及びセッション管理サーバに関する。
【背景技術】
【０００２】
図８及び図９を参照して、現在の３ＧＰＰで規定されている移動通信システムにおける音声通信用着信信号の配信方法について説明する。
【０００３】
図８に示すように、かかる移動通信システムでは、移動局ＵＥ＃１は、待ち受け対象の無線アクセスネットワーク（ＲＡＴ：Ｒａｄｉｏ  Ａｃｃｅｓｓ  Ｔｅｃｈｎｏｌｏｇｙ）が変更になった場合に、すなわち、コアネットワーク装置と無線アクセスネットワーク装置との間のセッションが切り替わった場合、サーバＰＣＲＦ（Ｐｏｌｉｃｙ  ａｎｄ  Ｃｈａｒｇｉｎｇ  Ｒｕｌｅｓ  Ｆｕｎｃｔｉｏｎ）に対して、新たな移動局ＵＥ＃１の待ち受け対象のＲＡＴ種別を登録するように構成されている。
【０００４】
また、サーバＨＳＳ（Ｈｏｍｅ  Ｓｕｂｓｃｒｉｂｅｒ  Ｓｅｒｖｅｒ）に対して、移動局ＵＥ＃１の位置情報を登録するように構成されている。
【０００５】
また、図９に示すように、ＩＭＳ（ＩＰ  Ｍｕｌｔｉｍｅｄｉａ  Ｃｏｒｅ  Ｎｅｔｗｏｒｋ  Ｓｕｂｓｙｓｔｅｍ）を提供するＲＡＴ環境下では、サーバＡＳ（Ａｐｐｌｉｃａｔｉｏｎ  Ｓｅｒｖｅｒ）は、移動局ＵＥ＃１のＩＭＳ登録手順により、ＶｏＩＰ（Ｖｏｉｃｅ  ｏｖｅｒ  ＩＰ）用位置情報を取得し、サーバＨＳＳ（Ｈｏｍｅ  Ｓｕｂｓｃｒｉｂｅｒ  Ｓｅｒｖｅｒ）から、移動局ＵＥ＃１の加入者情報を取得し、移動局ＵＥ＃１のＣＳ通信用ルーチング番号を保持するように構成されている。
【０００６】
図１０に示すように、サーバＡＳは、（２）において、通信事業者によって設定されているＲＡＴ種別の優先順位に基づいて、移動局ＵＥ＃１宛ての音声通信用着信信号の配信先を決定し、（３）において、決定された配信先に対して、移動局ＵＥ＃１宛ての音声通信用着信信号を配信する。
【０００７】
具体的には、サーバＡＳは、「ＵＴＲＡＮ/ＧＥＲＡＮ」を収容する交換局ＭＳＣ/ＳＧＳＮを配信先と決定した場合には、かかる交換局ＭＳＣに対して、ＣＳ通信用着信信号を送信し、「Ｅ-ＵＴＲＡＮ」を収容するノードＥＰＣを配信先と決定した場合には、かかるノードＥＰＣに対して、ＶｏＩＰ（Ｖｏｉｃｅ  ｏｖｅｒ  ＩＰ）通信用着信信号を送信する。
【先行技術文献】
【非特許文献】
【０００８】
【非特許文献１】３ＧＰＰ  ＴＳ２３.２０６、「Ｖｏｉｃｅ  Ｃａｌｌ  Ｃｏｎｔｉｎｕｉｔｙ（ＶＣＣ）  ｂｅｔｗｅｅｎ  Ｃｉｒｃｕｉｔ  Ｓｗｉｔｃｈｅｄ（ＣＳ）  ａｎｄ  ＩＰ  Ｍｕｌｔｉｍｅｄｉａ  Ｓｕｂｓｙｓｔｅｍ（ＩＭＳ）；Ｓｔａｇｅ  ２」
【非特許文献２】３ＧＰＰ  ＴＳ２３.２１６、「Ｓｉｎｇｌｅ  Ｒａｄｉｏ  Ｖｏｉｃｅ  Ｃａｌｌ  Ｃｏｎｔｉｎｕｉｔｙ（ＳＲＶＣＣ）；Ｓｔａｇｅ  ２」
【非特許文献３】３ＧＰＰ  ＴＳ２３.２０３、「Ｐｏｌｉｃｙ  ａｎｄ  ｃｈａｒｇｉｎｇ  ｃｏｎｔｒｏｌ  ａｒｃｈｉｔｅｃｔｕｒｅ」
【非特許文献４】３ＧＰＰ  ＴＳ２３.４０１、「Ｇｅｎｅｒａｌ  Ｐａｃｋｅｔ  Ｒａｄｉｏ  Ｓｅｒｖｉｃｅ（ＧＰＲＳ）  ｅｎｈａｎｃｅｍｅｎｔｓ  ｆｏｒ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）  ａｃｃｅｓｓ」
【非特許文献５】３ＧＰＰ  ＴＳ２３.４０２、「Ａｒｃｈｉｔｅｃｔｕｒｅ  ｅｎｈａｎｃｅｍｅｎｔｓ  ｆｏｒ  ｎｏｎ-３ＧＰＰ  ａｃｃｅｓｓｅｓ」
【発明の概要】
【発明が解決しようとする課題】
【０００９】
しかしながら、上述したように、現在の３ＧＰＰで規定されている移動通信システムでは、サーバＡＳが、移動局ＵＥ＃１の待ち受け対象のＲＡＴには関係なく、通信事業者によって設定されたＲＡＴ種別の優先順位に基づいて、移動局ＵＥ＃１宛ての音声通信用着信信号の配信先を決定し、移動局ＵＥ＃１が、複数のＲＡＴにおいて待ち受けを行うことができないため、移動局ＵＥ＃１が待ち受けしていないＲＡＴに対して、音声通信用着信信号を配信した場合には、音声通信用着信信号の再送によって、移動局ＵＥ＃１が、音声通信用着信信号を受信するまでの遅延時間が大きくなってしまうという問題点があった。
【００１０】
また、かかる移動通信システムでは、サーバＡＳが、Ｅ-ＵＴＲＡＮで待ち受けを行っている移動局ＵＥ＃１に対して、ＣＳ通信用着信信号を送信した場合には、かかる移動局ＵＥ＃１が、ＶｏＩＰ通信を行うことができるにも関わらず、より低品質のＣＳ通信を行ってしまうという問題点があった。
【００１１】
そこで、本発明は、上述の課題に鑑みてなされたものであり、高品質の音声通信を短時間で開始することができる移動通信方法、移動通信システム、配信サーバ、加入者情報管理サーバ及びセッション管理サーバを提供することを目的とする。
【課題を解決するための手段】
【００１２】
本発明の第１の特徴は、複数種別の無線アクセスネットワークのいずれかで待ち受けを行っている移動局に対して、音声通信用着信信号を配信する移動通信方法であって、配信サーバと無線アクセスネットワーク装置との間の各セッションに対応する移動局及び無線アクセスネットワークの種別を管理しているセッション管理サーバが、前記移動局の待ち受け対象の無線アクセスネットワークの種別の変更を検出した場合に、各移動局の加入者情報を管理している加入者情報管理サーバに対して、その旨を通知する工程と、前記加入者情報管理サーバが、前記配信サーバに対して、前記セッション管理サーバによって通知された前記移動局の待ち受け対象の無線アクセスネットワークの種別を通知する工程と、前記配信サーバが、前記加入者情報管理サーバによって通知された前記移動局の待ち受け対象の無線アクセスネットワークの種別を管理する工程と、前記配信サーバが、受信した前記移動局宛ての音声通信用着信信号に応じて、自身が管理している前記移動局のＶｏＩＰ用位置情報、該移動局のＣＳ通信用のルーチング番号及び該移動局の待ち受け対象の無線アクセスネットワークの種別に基づいて、前記音声通信用着信信号を配信する工程とを有することを要旨とする。
【００１３】
本発明の第２の特徴は、複数種別の無線アクセスネットワークのいずれかで待ち受けを行っている移動局に対して、音声通信用着信信号を配信するように構成されている移動通信システムであって、配信サーバと、各移動局の加入者情報を管理している加入者情報管理サーバと、前記配信サーバと無線アクセスネットワーク装置との間の各セッションに対応する移動局及び無線アクセスネットワークの種別を管理しているセッション管理サーバとを具備し、前記セッション管理サーバは、前記移動局の待ち受け対象の無線アクセスネットワークの種別の変更を検出した場合に、前記加入者情報管理サーバに対して、その旨を通知するように構成されている機能を具備し、前記加入者情報管理サーバは、前記配信サーバに対して、前記セッション管理サーバによって通知された該移動局の待ち受け対象の無線アクセスネットワークの種別を通知するように構成されている機能を具備し、前記配信サーバは、前記加入者情報管理サーバによって通知された前記移動局の待ち受け対象の無線アクセスネットワークの種別を管理するように構成されている機能と、受信した前記移動局宛ての音声通信用着信信号に応じて、自身が管理している前記移動局のＶｏＩＰ用位置情報、該移動局のＣＳ通信用のルーチング番号及び該移動局の待ち受け対象の無線アクセスネットワークの種別に基づいて、前記音声通信用着信信号を配信するように構成されている機能とを具備することを要旨とする。
【００１４】
本発明の第３の特徴は、複数種別の無線アクセスネットワークのいずれかで待ち受けを行っている移動局に対して、音声通信用着信信号を配信するように構成されている移動通信システムで用いられる配信サーバであって、前記加入者情報管理サーバによって通知された前記移動局の待ち受け対象の無線アクセスネットワークの種別を管理するように構成されている機能と、受信した前記移動局宛ての音声通信用着信信号に応じて、自身が管理している前記移動局のＶｏＩＰ用位置情報、該移動局のＣＳ通信用のルーチング番号及び該移動局の待ち受け対象の無線アクセスネットワークの種別に基づいて、前記音声通信用着信信号を配信するように構成されている機能とを具備することを要旨とする。
【００１５】
本発明の第４の特徴は、複数種別の無線アクセスネットワークのいずれかで待ち受けを行っている移動局に対して、音声通信用着信信号を配信するように構成されている移動通信システムで用いられる加入者情報管理サーバであって、各移動局の加入者情報を管理するように構成されている機能と、前記音声通信用着信信号を配信する配信サーバに対して、前記配信サーバと無線アクセスネットワーク装置との間の各セッションに対応する移動局及び無線アクセスネットワークの種別を管理しているセッション管理サーバによって通知された該移動局の待ち受け対象の無線アクセスネットワークの種別を通知するように構成されている機能を具備することを要旨とする。
【００１６】
本発明の第５の特徴は、複数種別の無線アクセスネットワークのいずれかで待ち受けを行っている移動局に対して、音声通信用着信信号を配信するように構成されている移動通信システムで用いられるセッション管理サーバであって、前記音声通信用着信信号を配信する配信サーバと無線アクセスネットワーク装置との間の各セッションに対応する移動局及び無線アクセスネットワークの種別を管理するように構成されている機能と、前記移動局の待ち受け対象の無線アクセスネットワークの種別の変更を検出した場合に、各移動局の加入者情報を管理している加入者情報管理サーバに対して、その旨を通知するように構成されている機能とを具備することを要旨とする。
【発明の効果】
【００１７】
以上説明したように、本発明によれば、高品質の音声通信を短時間で開始することができる移動通信方法、移動通信システム、配信サーバ、加入者情報管理サーバ及びセッション管理サーバを提供することができる。
【図面の簡単な説明】
【００１８】
【図１】本発明の第１の実施形態に係る移動通信システムの全体構成図である。
【図２】本発明の第１の実施形態に係る移動通信システム内の各サーバＡＳ、ＨＳＳ、ＰＣＲＦの機能ブロック図である。
【図３】本発明の第１の実施形態に係るサーバＰＣＲＦによって管理されている情報の一例を示す図である。
【図４】本発明の第１の実施形態に係る移動通信システムの動作を示すシーケンス図である。
【図５】本発明の第１の実施形態に係る移動通信システムの動作を示すシーケンス図である。
【図６】本発明の第１の実施形態に係る移動通信システムの動作を説明するための図である。
【図７】本発明の第１の実施形態に係る移動通信システムの動作を説明するための図である。
【図８】従来の移動通信システムの動作を説明するための図である。
【図９】従来の移動通信システムの動作を説明するための図である。
【図１０】従来の移動通信システムの動作を説明するための図である。
【発明を実施するための形態】
【００１９】
（本発明の第１の実施形態に係る移動通信システムの構成）
図１に示すように、本実施形態に係る移動通信システムでは、複数種別のＲＡＴとして、ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）/ＧＥＲＡＮ（ＧＳＭ  Ｅｄｇｅ  Ｒａｄｉｏ  Ａｃｃｅｓｓ  Ｎｅｔｗｏｒｋ）と、Ｅ-ＵＴＲＡＮ（Ｅｖｏｌｖｅｄ-ＵＴＲＡＮ））と、ＷＬＡＮ（Ｗｉｒｅｌｅｓｓ  ＬＡＮ）と、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、登録商標）とが、コアネットワークに接続されている。
【００２０】
本実施形態に係る移動通信システムは、コアネットワーク内に、サーバＭＧＣＦ（Ｍｅｄｉａ  Ｇａｔｅｗａｙ  Ｃｏｎｔｒｏｌ  Ｆｕｎｃｔｉｏｎ）と、サーバＣＳＣＦ、サーバＡＳと、サーバＨＳＳと、サーバＰＣＲＦとを具備する。
【００２１】
また、本実施形態に係る移動通信システムは、コアネットワーク内に、コアネットワーク装置として、交換局ＭＳＣ/ＳＧＳＮと、ノードＥＰＣとを具備している。
【００２２】
また、本実施形態に係る移動通信システムは、ＵＴＲＡＮ/ＧＥＲＡＮ用の無線アクセスネットワーク装置である無線回線制御局ＲＮＣ及び無線基地局ＢＴＳと、Ｅ-ＵＴＲＡＮ用の無線アクセスネットワーク装置である無線基地局ｅＮＢと、ＷＬＡＮ用の無線アクセスネットワーク装置であるアクセスポイントＡＰと、ＷｉＭＡＸ用の無線アクセスネットワーク装置である無線基地局ＢＳとを具備している。
【００２３】
サーバＡＳは、図２に示すように、呼制御部１１と、ＩＦ（Ｉｎｔｅｒｆａｃｅ）制御部１２と、蓄積部１３とを具備している。
【００２４】
ＩＦ制御部１２は、サーバＨＳＳとのインターフェイスの役割を果たすように構成されている。
【００２５】
蓄積部１３は、ＩＭＳ登録手順により通知された各移動局ＵＥのＶｏＩＰ用位置情報、ネットワーク情報として登録された各移動局ＵＥのＣＳ通信用ルーチング番号、及び、サーバＨＳＳによって通知された各移動局ＵＥの待ち受け対象のＲＡＴ種別を管理するように構成されている機能を具備する。
【００２６】
呼制御部１１は、サーバＣＳＣＦから受信した移動局ＵＥ＃１宛ての音声通信用着信信号に応じて、自身が管理している移動局ＵＥ＃１のＶｏＩＰ用位置情報、移動局ＵＥ＃１のＣＳ通信用ルーチング番号及び移動局ＵＥ＃１の待ち受け対象のＲＡＴ種別に基づいて、音声通信用着信信号の配信先（例えば、交換局ＭＳＣやセッション）を決定し、決定した配信先に対して、音声通信用着信信号を配信するように構成されている機能を具備する。
【００２７】
ここで、本実施形態における「音声通信」には、ＴＶ会議通信等の音声信号及び映像信号によって実現される通信も含まれるものとする。
【００２８】
例えば、呼制御部１１は、移動局ＵＥ＃１の待ち受け対象のＲＡＴ種別が「ＵＴＲＡＮ/ＧＥＲＡＮ」である場合には、移動局ＵＥ＃１のＣＳ通信用ルーチング番号「ＣＳＲＮ」によって特定される交換局ＭＳＣに対して、Ｃプレーンパスを介して、ＣＳ通信用着信信号を配信するように構成されている。
【００２９】
また、呼制御部１１は、移動局ＵＥ＃１の待ち受け対象のＲＡＴ種別が「Ｅ-ＵＴＲＡＮ」、「ＷＬＡＮ」又は「ＷｉＭＡＸ」である場合には、移動局ＵＥ＃１の位置情報「ＩＭＳ-ＩＤ」によって特定されるＵプレーンパス（セッション）上に、ＶｏＩＰ通信用着信信号を配信するように構成されている。かかる場合、呼制御部１１は、ＶｏＩＰ通信用着信信号の配信先の無線アクセスネットワーク装置を意識する必要はない。
【００３０】
なお、呼制御部１１は、移動局ＵＥ＃１の待ち受け対象のＲＡＴ種別が「ＵＴＲＡＮ/ＧＥＲＡＮ」である場合であっても、「ＵＴＲＡＮ/ＧＥＲＡＮ」においてＩＭＳにおけるＵプレーンパス（セッション）を設定することができる場合には、移動局ＵＥ＃１の位置情報「ＩＭＳ-ＩＤ」によって特定されるＵプレーンパス（セッション）上に、ＶｏＩＰ通信用着信信号を配信するように構成されていてもよい。
【００３１】
また、サーバＨＳＳは、呼制御部２１と、ＩＦ制御部２２と、蓄積部２３とを具備している。
【００３２】
ＩＦ制御部２２は、サーバＡＳ及びサーバＰＣＲＦとのインターフェイスの役割を果たすように構成されている。
【００３３】
蓄積部２３は、サーバＰＣＲＦによって通知された移動局ＵＥ＃１の待ち受け対象のＲＡＴ種別を管理するように構成されている。
【００３４】
呼制御部２１は、蓄積部２３にて管理する移動局ＵＥの加入者情報に変更があった場合に、サーバＡＳに対して、かかる移動局ＵＥの加入者情報を送信するように構成されている。
【００３５】
また、呼制御部２１は、所定タイミングで、例えば、サーバＰＣＲＦによって移動局ＵＥ＃１の待ち受け対象のＲＡＴ種別が通知されたタイミングで、ＩＦ制御部２２を介して、サーバＡＳに対して、移動局ＵＥ＃１の位置情報及びサーバＰＣＲＦによって通知された移動局ＵＥ＃１の待ち受け対象のＲＡＴ種別を通知するように構成されている機能を具備する。
【００３６】
さらに、サーバＰＣＲＦは、蓄積部３１と、呼制御部３２と、ＩＦ制御部３３とを具備している。
【００３７】
ＩＦ制御部３３は、サーバＨＳＳとのインターフェイスの役割を果たすように構成されている。
【００３８】
呼制御部３２は、図３に示すように、サーバＡＳと無線アクセスネットワーク装置との間の各セッションに対応する移動局ＵＥ及びＲＡＴ種別等を管理するように構成されている。なお、蓄積部３１は、更に、各セッションに対応するＱｏＳ（Ｑｕａｌｉｔｙ  ｏｆ  Ｓｅｒｖｉｃｅ）や課金ルール等を管理するように構成されていてもよい。
【００３９】
呼制御部３２は、各移動局ＵＥの待ち受け対象のＲＡＴ種別の変更を検出した場合に、ＩＦ制御部３３を介して、サーバＨＳＳに対して、その旨を通知するように構成されている機能を具備する。
【００４０】
（本発明の第１の実施形態に係る移動通信システムの動作）
図４乃至図７を参照して、本発明の第１の実施形態に係る移動通信システムの動作について説明する。
【００４１】
ステップＳ１００１において、サーバＰＣＲＦのＩＦ制御部３３は、ノードＥＰＣから移動局ＵＥ＃１用のセッション変更通知信号を受信すると、呼制御部３２に対して、移動局ＵＥ＃１の待ち受け対象のＲＡＴ種別を変更するためのＲＡＴ登録信号を送信し、呼制御部３２は、ステップＳ１００２において、移動局ＵＥ＃１の待ち受け対象のＲＡＴ種別を変更し、ステップＳ１００３において、ＩＦ制御部３３に対して、その旨を通知するためのＲＡＴ通知信号を送信し、ステップＳ１００４において、ＩＦ制御部３３は、サーバＨＳＳのＩＦ制御部２２に対して、かかるＲＡＴ通知信号を送信する。
【００４２】
ステップ１００５において、ＩＦ制御部２２は、呼制御部２１に対して、かかるＲＡＴ通知信号を送信し、呼制御部２１は、ステップＳ１００５Ａにおいて、ＲＡＴ通知信号を受信したことを検知すると、ステップＳ１００６において、蓄積部２３に対して、移動局ＵＥ＃１の待ち受け対象のＲＡＴ種別を更新するための加入者情報更新信号を送信し、ステップＳ１００７において、蓄積部２３は、移動局ＵＥ＃１の待ち受け対象のＲＡＴ種別を更新し、ステップＳ１００８において、ＩＦ制御部２２に対して、移動局ＵＥ＃１の待ち受け対象のＲＡＴ種別を含む加入者情報更新通知信号を送信する。
【００４３】
ステップＳ１００９において、ＩＦ制御部２２は、サーバＡＳのＩＦ制御部１２に対して、かかる加入者情報更新通知信号を送信し、ステップＳ１０１０において、ＩＦ制御部１２は、呼制御部１１に対して、かかる加入者情報更新通知信号を送信する。
【００４４】
ステップＳ１０１１において、呼制御部１１は、蓄積部１３に対して、移動局ＵＥ＃１の待ち受け対象のＲＡＴ種別を更新するための加入者情報更新信号を送信し、ステップＳ１０１２において、蓄積部１３は、移動局ＵＥ＃１の待ち受け対象のＲＡＴ種別を更新する。
【００４５】
その後、サーバＡＳのＩＦ制御部１２は、ステップＳ２００１において、サーバＣＳＣＦから移動局ＵＥ＃１宛ての音声通信用着信信号を受信すると、ステップＳ２００２において、呼制御部１１に対して、かかる音声通信用着信信号を送信する。
【００４６】
呼制御部１１は、ステップＳ２００３において、蓄積部１３に対して、加入者情報取得要求信号を送信し、ステップＳ２００４において、蓄積部１３から、移動局ＵＥ＃１の位置情報及び移動局ＵＥ＃１の待ち受け対象のＲＡＴ種別を含む加入者情報応答信号を受信する。
【００４７】
呼制御部１１は、ステップＳ２００４Ａにおいて、受信した加入者情報応答信号に含まれる移動局ＵＥ＃１の位置情報及び移動局ＵＥ＃１の待ち受け対象のＲＡＴ種別に基づいて、移動局ＵＥ＃１宛ての音声通信用着信信号の配信先（交換局ＭＳＣ又はセッション）を決定し、ステップＳ２００５において、ＩＦ制御部１２に対して、ＣＳ通信用着信信号又はＶｏＩＰ通信用着信信号を配信し、ステップＳ２００６において、ＩＦ制御部１２は、かかる配信先に対して、かかるＣＳ通信用着信信号又はＶｏＩＰ通信用着信信号を配信する。
【００４８】
（本発明の第１の実施形態に係る移動通信システムの作用・効果）
本発明の第１の実施形態に係る移動通信システムによれば、移動局ＵＥ＃１のＶｏＩＰ用位置情報、移動局ＵＥ＃１のＣＳ通信用ルーチング番号及びサーバＨＳＳによって通知された移動局ＵＥ＃１の待ち受け対象のＲＡＴ種別に基づいて、音声通信用着信信号の配信先を決定するため、移動局ＵＥ＃１の待ち受け対象のＲＡＴ以外に対して音声通信用着信信号を転送してしまうという事態を回避することができ、音声通信用着信信号の配信遅延を小さくすることができる。
【００４９】
また、本発明の第１の実施形態に係る移動通信システムによれば、サーバＡＳが、Ｅ-ＵＴＲＡＮで待ち受けを行っている移動局ＵＥ＃１に対して、ＣＳ通信用着信信号を送信することによって、かかる移動局ＵＥ＃１が、ＶｏＩＰ通信を行うことができるにも関わらず、より低品質のＣＳ通信を行ってしまうという事態を回避することができる。
【００５０】
以上に述べた本実施形態の特徴は、以下のように表現されていてもよい。
【００５１】
本実施形態の第１の特徴は、複数種別のＲＡＴ（無線アクセスネットワーク）のいずれかで待ち受けを行っている移動局ＵＥ＃１に対して、音声通信用着信信号を配信する移動通信方法であって、サーバＡＳ（配信サーバ）と無線アクセスネットワーク装置との間の各セッションに対応する移動局ＵＥ及びＲＡＴ種別（無線アクセスネットワークの種別）を管理しているサーバＰＣＲＦ（セッション管理サーバ）が、移動局ＵＥ＃１の待ち受け対象のＲＡＴ種別の変更を検出した場合に、各移動局ＵＥの加入者情報を管理しているサーバＨＳＳ（加入者情報管理サーバ）に対して、その旨を通知する工程と、サーバＨＳＳが、サーバＡＳに対して、セッション管理サーバＰＣＲＦによって通知された移動局ＵＥ＃１の待ち受け対象のＲＡＴ種別を通知する工程と、サーバＡＳが、サーバＨＳＳによって通知された移動局ＵＥ＃１の待ち受け対象のＲＡＴ種別を管理する工程と、サーバＡＳが、受信した移動局ＵＥ＃１宛ての音声通信用着信信号に応じて、自身が管理している移動局ＵＥ＃１のＶｏＩＰ用位置情報、移動局ＵＥ＃１のＣＳ通信用ルーチング番号及び移動局ＵＥ＃１の待ち受け対象のＲＡＴ種別に基づいて、音声通信用着信信号を配信する工程とを有することを要旨とする。
【００５２】
本実施形態の第２の特徴は、複数種別のＲＡＴのいずれかで待ち受けを行っている移動局ＵＥ＃１に対して、音声通信用着信信号を配信するように構成されている移動通信システムであって、サーバＡＳと、各移動局ＵＥの加入者情報を管理しているサーバＨＳＳと、サーバＡＳと無線アクセスネットワーク装置との間の各セッションに対応する移動局ＵＥ及びＲＡＴ種別を管理しているサーバＰＣＲＦとを具備し、サーバＰＣＲＦは、移動局ＵＥ＃１の待ち受け対象のＲＡＴ種別の変更を検出した場合に、サーバＨＳＳに対して、その旨を通知するように構成されている機能を具備し、サーバＨＳＳは、サーバＡＳに対して、サーバＰＣＲＦによって通知された移動局ＵＥ＃１の待ち受け対象のＲＡＴ種別を通知するように構成されている機能を具備し、サーバＡＳは、サーバＨＳＳによって通知された移動局ＵＥ＃１の待ち受け対象のＲＡＴ種別を管理するように構成されている機能と、受信した移動局ＵＥ＃１宛ての音声通信用着信信号に応じて、自身が管理している移動局ＵＥ＃１のＶｏＩＰ用位置情報、移動局ＵＥ＃１のＣＳ通信用ルーチング番号及び移動局ＵＥ＃１の待ち受け対象のＲＡＴ種別に基づいて、音声通信用着信信号を配信するように構成されている機能とを具備することを要旨とする。
【００５３】
本実施形態の第３の特徴は、複数種別のＲＡＴのいずれかで待ち受けを行っている移動局ＵＥ＃１に対して、音声通信用着信信号を配信するように構成されている移動通信システムで用いられるサーバＡＳであって、各移動局ＵＥの加入者情報を管理しているサーバＨＳＳによって通知された移動局ＵＥ＃１の待ち受け対象のＲＡＴ種別を管理するように構成されている機能と、受信した移動局ＵＥ＃１宛ての音声通信用着信信号に応じて、自身が管理している移動局ＵＥ＃１のＶｏＩＰ用位置情報、移動局ＵＥ＃１のＣＳ通信用ルーチング番号及び移動局ＵＥ＃１の待ち受け対象のＲＡＴ種別に基づいて、音声通信用着信信号を配信するように構成されている機能とを具備することを要旨とする。
【００５４】
本実施形態の第４の特徴は、複数種別のＲＡＴのいずれかで待ち受けを行っている移動局ＵＥ＃１に対して、音声通信用着信信号を配信するように構成されている移動通信システムで用いられるサーバＨＳＳであって、音声通信用着信信号を配信するサーバＡＳに対して、サーバＡＳと無線アクセスネットワーク装置との間の各セッションに対応する移動局ＵＥ及びＲＡＴ種別を管理しているサーバＰＣＲＦによって通知された移動局ＵＥ＃１の待ち受け対象のＲＡＴ種別を通知するように構成されている機能を具備することを要旨とする。
【００５５】
本実施形態の第５の特徴は、複数種別のＲＡＴのいずれかで待ち受けを行っている移動局ＵＥ＃１に対して、音声通信用着信信号を配信するように構成されている移動通信システムで用いられるサーバＰＣＲＦであって、音声通信用着信信号を配信するサーバＡＳと無線アクセスネットワーク装置との間の各セッションに対応する移動局ＵＥ及びＲＡＴ種別を管理するように構成されている機能と、移動局ＵＥ＃１の待ち受け対象のＲＡＴ種別の変更を検出した場合に、各移動局ＵＥの加入者情報を管理しているサーバＨＳＳに対して、その旨を通知するように構成されている機能とを具備することを要旨とする。
【００５６】
なお、上述の移動局ＵＥやサーバＡＳ、ＨＳＳ、ＰＣＲＦやコアネットワーク装置ＥＰＣ、ＳＧＳＮや無線アクセスネットワーク装置ＲＮＣ/ＢＴＳ、ｅＮＢ、ＡＰ、ＢＳの動作は、ハードウェアによって実施されてもよいし、プロセッサによって実行されるソフトウェアモジュールによって実施されてもよいし、両者の組み合わせによって実施されてもよい。
【００５７】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５８】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥやサーバＡＳ、ＨＳＳ、ＰＣＲＦやコアネットワーク装置ＥＰＣ、ＳＧＳＮや無線アクセスネットワーク装置ＲＮＣ/ＢＴＳ、ｅＮＢ、ＡＰ、ＢＳ内に設けられていてもよい。また、かかる記憶媒体及びプロセッサは、ディスクリートコンポーネントとして移動局ＵＥやサーバＡＳ、ＨＳＳ、ＰＣＲＦやコアネットワーク装置ＥＰＣ、ＳＧＳＮや無線アクセスネットワーク装置ＲＮＣ/ＢＴＳ、ｅＮＢ、ＡＰ、ＢＳ内に設けられていてもよい。
【００５９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６０】
ＡＳ、ＨＳＳ、ＰＣＲＦ…サーバ
１１、２１、３２…呼制御部
１２、２２、３３…ＩＦ制御部
１３、２３、３１…蓄積部
ＥＰＣ、ＭＳＣ/ＳＧＳＮ…コアネットワーク装置
ＲＮＣ/ＢＴＳ、ｅＮＢ、ＡＰ、ＢＳ…無線アクセスネットワーク装置
ＵＥ…移動局
【図１】
2010258899.tif 000003
【図２】
2010258899.tif 000004
【図３】
2010258899.tif 000005
【図４】
2010258899.tif 000006
【図５】
2010258899.tif 000007
【図６】
2010258899.tif 000008
【図７】
2010258899.tif 000009
【図８】
2010258899.tif 000010
【図９】
2010258899.tif 000011
【図１０】
2010258899.tif 000012